(57)【要約】【課題】軽量で作業効率がよく且つ簡易な構造で安価な中空部成形用型枠材の作業用挿通管の提供。【解決手段】中空部を有するコンクリート構造体を成形するに際し、型枠１の底板部３上に設置される中空部成形用型枠材１０に上下に向けて備えられる作業用挿通管１１であって、突条２０が形成された帯状の薄型鋼板を螺旋状に巻回して円筒管状に形成されてなる挿通管本体１４と、挿通管本体１４の端部に連結される固定用管体１５，１５とを備え、固定用管体１５は、連結用突部２１が形成された連結管部２２と、連結管部２２の一方の端縁部より外向きに張り出したフランジ状の固定板部２３とが一体に備えられ、突条２０と連結用突部２１とを互いに嵌合させて挿通管本体１４端部に連結管部２２を螺合し、且つ固定用管体１５の固定板部２３を中空部成形用型枠材１０に固定させるようにした。【選択図】図１
2013193357.tif 000002
【特許請求の範囲】
【請求項１】
中空部を有するコンクリート構造体を成形するに際し、型枠の底板部上に間隔を置いて設置される筒状の中空部成形用型枠材に上下に向けて貫通させた配置に備えられる作業用挿通管であって、
長さ方向に沿って突条が形成された帯状の薄型鋼板を螺旋状に巻回し、且つ巻回によって互いに隣り合う側縁同士を固定して円筒管状に形成されてなる挿通管本体と、該挿通管本体の端部に連結される固定用管体とを備え、
該固定用管体は、外周又は内周側に突出した連結用突部が形成された円筒状の連結管部と、該連結管部の一方の端縁部より外向きに張り出したフランジ状の固定板部とが一体に備えられ、
前記突条と前記連結用突部とを互いに嵌合させて前記挿通管本体端部に前記連結管部を螺合し、且つ前記固定用管体の固定板部を前記中空部成形用型枠材に固定することにより前記挿通管本体が前記中空部成形用型枠材に取り付けられるようにしたことを特徴としてなる中空部成形用型枠材の作業用挿通管。
【請求項２】
前記連結用突部は、螺旋方向に沿って形成された一又は複数の螺旋状突条をもって構成された請求項１に記載の中空部成形用型枠材の作業用挿通管。
【請求項３】
前記連結用突部は、螺旋方向に沿って配置された複数の突起をもって構成された請求項１に記載の中空部成形用型枠材の作業用挿通管。
【請求項４】
前記挿通管本体は、巻回によって互いに隣り合う側縁同士をはぜ継により固定してなる請求項１、２又は３に記載の中空部成形用型枠材の作業用挿通管。
【発明の詳細な説明】
【技術分野】
【０００１】
本発明は、コンクリート橋梁の上部工等の中空部を有するコンクリート構造体を成形する際に使用する筒状の中空部成形用型枠材に備えられ、締固め用のバイブレータ等を挿入するのに使用する中空部成形用型枠材の作業用挿通管に関する。
【背景技術】
【０００２】
従来、コンクリート橋梁の上部工には、構造的に不要と考えられる部分に中空部を設け、力学上の観点から合理的な断面構造を有する中空床版が使用されており、床版としての強度を確保しつつ中空部を設けて軽量化を図っている。
【０００３】
このような中空床版は、図７に示すように、型枠１内に縦横に向けて鉄筋２，２...を設置するとともに、型枠１の底板部３上に１００ｍｍ〜２００ｍｍの間隔をおいて円筒状の中空部成形用型枠材４，４...を設置し、その状態でコンクリートを型枠１内に打設することにより内部に中空部を備えた構造に成形されている。また、各中空部成形用型枠材４，４間には、図示しないＰＣ鋼材を通すためのシース等も多数配置されている。
【０００４】
このような中空部成形用型枠材４は、セパレータ等からなる棒状の浮き上がり防止部材５，５を、その一方の端部を型枠底板部３に定着させ、他方の端部を型枠材４の外周部に固定させることにより、コンクリート打設時の浮き上がりが防止されている。
【０００５】
また、この中空床版の成形に際しては、中空部成形用型枠材４，４間の隙間に振動発生機（バイブレータ）を挿入し、この振動発生機による振動によりコンクリートを締め固めるようにしている。
【０００６】
一方、上述のコンクリートの締め固めが不十分であると、型枠底板部３と中空部成形用型枠材４との間にコンクリートが十分に充填されず、所謂ジャンカ等の障害が発生し、補修が必要となる場合があることから、中空部成形用型枠材４には、下部に目視用の窓を設けたものやポリプロピレン等の樹脂材からなる透明な筒材を使用したり、ＣＣＤカメラを設置したりしてコンクリートの充填状況を目視により確認しながら充填及び締め固め作業を行っている(例えば、特許文献１又は２を参照)。
【０００７】
一方、上述の如き従来の技術では、窓等を設けても打設途中で視界が悪くなり最後まで十分にコンクリートが充填されているか確認できないおそれがあり、また、ＣＣＤカメラを使用したり、窓を設けたりするためにコストが嵩むという問題があった。
【０００８】
また、上述したように型枠内には、鉄筋やＰＣ鋼材を通すためのシース等が配置されているとともに型枠底部と中空部成形用型枠材との間の隙間も狭いことから、コンクリートを確実に充填する作業を行うための空間が限定され、最もコンクリートを充填し難い型枠底板部と中空部成形用型枠材との間に確実にコンクリートを充填するためには、振動発生機を各中空部成形用型枠材間の隙間部に挿入し、この振動発生機により型枠内のコンクリート全体に振動を与えて入念な締め固め作業を行うことにより狭い箇所への充填を行わなければならず、作業に多大な労力を要し効率が悪いという問題があり、特に振動源である振動発生機から距離のある箇所においては振動が減衰するため密実し難いという問題があった。
【０００９】
更には、セパレータ等からなる浮き上がり防止部材５を使用して中空部成形用型枠材の浮き上がりを防止した状態で型枠内にコンクリートを打設すると、コンクリートより受ける浮力により中空部成形用型枠材には上下に圧縮する方向の力が作用し、その力により中空部成形用型枠材が変形するおそれがあった。
【００１０】
そこで、本願出願人は、上述の如き従来技術の問題を鑑み、中空部成形用型枠材に上下方向に向けて貫通させた作業用挿通管を筒軸方向に間隔を置いて複数設け、この作業用挿通管内を通して振動発生機を型枠底板部と中空部用型枠部材との間に挿入し、その振動発生機の振動により打設されたコンクリートを締め固めるようにした工法を開発するに到った（特許文献３を参照）。
【先行技術文献】
【特許文献】
【００１１】
【特許文献１】特開２０１１−０１７１２７号公報
【特許文献２】特開２０１１−０９４３３７号公報
【特許文献３】特願２０１１−１９４８１８号明細書
【発明の概要】
【発明が解決しようとする課題】
【００１２】
しかしながら、上述の如き中空部成形用型枠材に上下に向けた作業用の挿通管を設け、この挿通管内を通して振動発生機を型枠底板部と中空部用型枠部材との間に挿入し、振動発生機の振動により打設されたコンクリートを締め固めるようにした工法にあっては、更なる作業性の向上と施工費用の低減が望まれる。
【００１３】
そこで本発明は、このような従来の問題に鑑み、軽量で作業効率がよく且つ簡易な構造で安価な中空部成形用型枠材の作業用挿通管の提供を目的としてなされたものである。
【課題を解決するための手段】
【００１４】
上述の如き従来の問題を解決し、所期の目的を達成するための請求項1に記載の発明の特徴は、中空部を有するコンクリート構造体を成形するに際し、型枠の底板部上に間隔を置いて設置される筒状の中空部成形用型枠材に上下に向けて貫通させた配置に備えられる作業用挿通管であって、長さ方向に沿って突条が形成された帯状の薄型鋼板を螺旋状に巻回し、且つ巻回によって互いに隣り合う側縁同士を固定して円筒管状に形成されてなる挿通管本体と、該挿通管本体の端部に連結される固定用管体とを備え、該固定用管体は、外周又は内周側に突出した連結用突部が形成された円筒状の連結管部と、該連結管部の一方の端縁部より外向きに張り出したフランジ状の固定板部とが一体に備えられ、前記突条と前記連結用突部とを互いに嵌合させて前記挿通管本体端部に前記連結管部を螺合し、且つ前記固定用管体の固定板部を前記中空部成形用型枠材に固定することにより前記挿通管本体が前記中空部成形用型枠材に取り付けられるようにした中空部成形用型枠材の作業用挿通管にある。
【００１５】
請求項２に記載の発明の特徴は、請求項１の構成に加え、前記連結用突部は、螺旋方向に沿って形成された一又は複数の螺旋状突条をもって構成されたことにある。
【００１６】
請求項３に記載の発明の特徴は、請求項１の構成に加え、前記連結用突部は、螺旋方向に沿って配置された複数の突起をもって構成されたことにある。
【００１７】
請求項４に記載の発明の特徴は、請求項１、２又は３の構成に加え、前記挿通管本体は、巻回によって互いに隣り合う側縁同士をはぜ継により固定してなることにある。
【発明の効果】
【００１８】
本発明に係る中空部成形用型枠材の作業用挿通管は、上述したように、中空部を有するコンクリート構造体を成形するに際し、型枠の底板部上に間隔を置いて設置される筒状の中空部成形用型枠材に上下に向けて貫通させた配置に備えられる作業用挿通管であって、長さ方向に沿って突条が形成された帯状の薄型鋼板を螺旋状に巻回し、且つ巻回によって互いに隣り合う側縁同士を固定して円筒管状に形成されてなる挿通管本体と、該挿通管本体の端部に連結される固定用管体とを備え、該固定用管体は、外周又は内周側に突出した連結用突部が形成された円筒状の連結管部と、該連結管部の一方の端縁部より外向きに張り出したフランジ状の固定板部とが一体に備えられたことにより、作業用挿通管が安価に製造でき、また軽量化されるので、取り付ける際の作業効率が向上し施工費用の低減を図ることができる。
【００１９】
また、本発明において、前記突条と前記連結用突部とを互いに嵌合させて前記挿通管本体端部に前記連結管部を螺合し、且つ前記固定用管体の固定板部を前記中空部成形用型枠材に固定することにより前記挿通管本体が前記中空部成形用型枠材に取り付けられるようにしたことにより、互いに螺合される突条及び連結用突部の螺旋ピッチが大きいので、挿通菅本体と固定用管体との連結作業における作業性がよく、又、コンクリート打設時の中空部成形用型枠材の変形にも容易に追従させることができる。
【００２０】
また、本発明において、前記連結用突部は、螺旋方向に沿って形成された複数の突条をもって構成されたことにより、挿通管が大径の場合において連結用突部が連続的に形成される場合に比べて加工の際の効率がよく、コストの低減を図ることができる。
【００２１】
更に本発明において、前記連結用突部は、螺旋方向に沿って配置された複数の突起をもって構成されたことにより、容易に連結用突部を形成することができ、コストの低減を図ることができる。
【００２２】
更に本発明において、前記挿通管本体は、巻回によって互いに隣り合う側縁同士をはぜ継により固定してなることにより、挿通管本体をフレキシブルに形成することができる。
【図面の簡単な説明】
【００２３】
【図１】本発明に係る中空部成形用型枠材の作業用挿通管の使用状態を示す断面図である。
【図２】図１中の挿通管本体の一例を示す部分破断正面図である。
【図３】（ａ）は同上の挿通管本体を構成する薄型鋼板を示す側面図、（ｂ）は同正面図である。
【図４】（ａ）は図１中の固定用管体の一例を示す部分破断正面図、（ｂ）は同底面図である。
【図５】（ａ）は図１中の固定用管体の他の一例を示す部分破断正面図、（ｂ）は同底面図である。
【図６】本発明に係る中空部成形用型枠材の作業用挿通管の他の使用状態を示す断面図である。
【図７】従来の中空構造体の構築に使用される型枠の一例を示す縦断面図である。
【発明を実施するための形態】
【００２４】
次に、本発明の実施の態様を図１〜図６に示した実施例に基づいて説明する。尚、図中符号１は中空床版等の中空構造体を成形するための型枠、符号１０は中空部成形用型枠材、符号１１は本発明に係る作業用挿通管である。また、上述の従来例と同様の構成には同一符号を付して説明する。
【００２５】
型枠１内には、図６に示す従来例と同様に、縦横に向けた鉄筋２，２...を設置するとともに、型枠１の底板部３上に１００ｍｍ〜２００ｍｍの間隔をおいて円筒状の中空部用型枠材１０，１０...を設置し、その状態でコンクリートＡを型枠１内に打設することにより内部に中空部を有する中空床版等の中空構造体を成形する。尚、型枠１には、各中空部用型枠材１０，１０間に図示しないＰＣ鋼材を通すためのシース等も多数配置される。
【００２６】
この中空部用型枠材１０は、円筒管体状に形成され、貫通孔１２，１２を通して筒状直径方向の上下に向けて貫通させた配置に複数の作業用挿通管１１，１１...が筒軸方向に間隔を置いて備えられ、この作業用挿通管１１内を通して振動発生機１３の先端部を型枠底板部３と中空部用型枠材１０との間に挿入し、その状態で振動発生機１３を動作させてコンクリートに振動を与えて締め固めを行うようになっている。
【００２７】
この作業用挿通管１１は、上下方向に向けた管体状の挿通管本体１４と、挿通管本体１４の両端部にそれぞれ連結される固定用管体１５，１５とを備えている。
【００２８】
挿通管本体１４は、図３に示す如き細長帯状の薄型鋼板１６を螺旋状に巻回し、その巻回により互いに隣り合う側縁部同士を固定することにより円筒管体状に形成されている。
【００２９】
この薄型鋼板１６は、幅方向両側縁の一方の側縁部が裏面側にＵ字状を成すように折り曲げられて長さ方向に沿って折曲部１７が形成され、他方の側縁部が裏面側にレ字状を成すように折り曲げられて長さ方向に沿って折曲部１８が形成され、薄型鋼板１６を螺旋状に巻回するとともに一方の折曲部１７内側に他方の折曲部１８を嵌め込み、その状態で両折曲部１７，１８を一対の加締めローラー間に通して押圧することによりハゼ部１９を形成し、それにより巻回によって互いに隣り合う側縁部同士がはぜ継により固定されている。
【００３０】
また、この薄型鋼板１６には、中央部に表面側に断面円弧状に突出した突条２０が帯長さ方向に沿って形成され、薄型鋼板１６を螺旋状に巻回し、挿通管本体１４を円筒管体状にすることにより突条２０が挿通管本体１４の外周部に螺旋状に連続するようになっている。
【００３１】
尚、突条２０の両端は、挿通管本体１４の両端開口部に開口し、後述する固定用管体１５の連結用突部２１が突条２０の凹側に嵌り込み螺合できるようになっている。
【００３２】
固定用管体１５は、図４に示すように、薄型鋼板をプレス加工することにより一体形成され、両端が開口した円筒状の連結管部２２と、連結管部２２の一方の開口縁部より外向きに張り出したフランジ状の取付板部２３とを一体に備えている。
【００３３】
連結管部２２は、プレス加工により外側に向けて突出した連結用突部２１が形成され、この連結用突部２１を突条２０の凹部側に嵌め込むことにより挿通管本体１４の端部内周部に螺合されるようになっている。
【００３４】
この連結用突部２１は、プレス加工により外側に向けて突出し、且つ螺旋方向に沿って連続的に形成された螺旋状突条をもって構成されている。この螺旋状突条は、突条２０のピッチと対応したピッチで形成され、突条２０の凹み側に嵌り込み、且つ連結管部２２の回転に伴って突条２０に沿って移動するようになっている。
【００３５】
尚、連結用突部２１は、螺旋方向にそって断続的に配置した複数の螺旋状突条をもって構成してもよく、その場合、連結管部１２の管径が大径となる場合には連結用突部２１を断続的に配置された複数の螺旋状突条により構成することにより加工効率が向上し、製造コストの低減を図ることができる。
【００３６】
また、連結用突部２１は、図５に示すように、螺旋方向に沿って配置された複数の独立した突起２７，２７...をもって構成されたものであってもよい。この突起２７は、プレス加工により丸孔の周縁部が外側に向けて盛り上がった形状に形成されている。尚、各突起２７は、突条２０の螺旋ピッチに対応した位置に配置され、突条２０の凹み側に嵌り込み、且つ連結管部２２の回転に伴って突条２０に沿って移動するようになっている。尚、突起２７の形状は、図５に示す例に拘泥されず、外側に向けて膨出した断面円弧状に形成されたもの等であってもよい。
【００３７】
取付板部２３は、円盤状に形成され、円盤周方向に間隔を置いて板厚方向に向けて貫通した複数の取付用孔２４，２４...が形成されている。
【００３８】
また、この取付板部２３と中空部用型枠材１０との間には、ゴム材等からなる封止部材２５が介在され、貫通孔１２と固定用管体１５との間の隙間を封鎖するようになっている。
【００３９】
この取付板部２３は、取付用孔２４を通してボルト・ナット等の固定部材２６を取付板部２３、封止部材２５及び中空部成形用型枠材１０を貫通させ固定用部材２６の端部を中空部成形用型枠材１０に定着させることにより中空部成形用型枠材１０に固定されるようになっている。
【００４０】
また、各作業用挿通管１１，１１...のうち所定の作業用挿通管１１には、図６に示すように、上側開口部、即ち固定用管体１５の取付板部２３に定着部材３０が固定され、この定着部材３０に浮き上がり防止部材３１の一方の端部が定着されている。
【００４１】
浮き上がり防止部材３１は、鋼棒をもって構成され、その両端部に雄ネジ部３１ａ，３１ａが形成されている。
【００４２】
この浮き上がり防止部材３１は、一方の端部を定着部材３０に形成された挿通孔を通し、定着部材３０の外側面部に突出させ、ナット３３を締め付けることにより定着部材３０を介して作業用挿通管１１の上部開口部に定着されている。
【００４３】
定着部材３０は、円盤状に形成され、取付板部２３上面側に重ねた状態で配置されている。尚、図中符号３４はゴム材等からなる封止部材である。
【００４４】
一方、浮き上がり防止部材３１は、他方の端部を型枠底板部３及び型枠１を支持する支保工部材３５を貫通させ、支保工部材３５の外側面部（下面部）より突出させ、そこにナット３３が締め付けられている。
【００４５】
また、浮き上がり防止部材３１の下側雄ネジ部３１ａには、型枠底板部３の上下面側にコーン等の定着部材３６，３６が螺合されており、この定着部材３６，３６を型枠底板部３側に向けて締め付けることにより、浮き上がり防止部材３１の一方の端部を型枠底板部３に定着させるとともに、浮き上がり防止部材３１が貫通した挿通孔３７を閉鎖するようになっている。
【００４６】
このように中空用型枠部材１０は、浮き上がり防止部材３１により上向きの移動が規制され、型枠1内にコンクリートＡを打設した際に、コンクリートＡに押圧されることによる浮き上がりが防止され、中空部を所定の位置に形成できるようにしている。
【００４７】
このように構成された作業用挿通管１１は、挿通管本体１４及び固定用管体１５が薄型鋼板をもって形成されているので従来のものに比べて軽量化がなされ、それに伴い運搬や設置の際の作業効率が向上する。
【００４８】
また、挿通管本体１４を長さ方向に沿って突条２０が形成された帯状の薄型鋼板１６を螺旋状に巻回し、且つ巻回によって互いに隣り合う側縁同士を固定して円筒管状に形成するとともに、固定用管体１５の外周側に連結用突部２１を形成し、突条２０と連結用突部２１とを互いに嵌合させて挿通管本体１４端部に固定用管体１５の連結管部２２を螺合させる構造としたことにより、煩雑なねじ込み作業を伴わずに容易に固定用管体１５を挿通管本体１４に連結することができるので作業効率がよく、更にはコンクリート打設時の中空部成形用型枠材１０の変形にも容易に追従させることができる。
【符号の説明】
【００４９】
１０  中空部成形用型枠材
１１  作業用挿通管
１２  貫通孔
１３  振動発生機
１４  挿通管本体
１５  固定用管体
１６  薄型鋼板
１７，１８  折曲部
１９  ハゼ部
２０  突条
２１  連結用突部
２２  連結管部
２３  取付板部
２４  取付用孔
２５  封止部材
２６  固定用部材
２７  突起
３０  定着部材
３１  浮き上がり防止部材
３２  挿通孔
３３  ナット
３４  封止部材
３５  支保工部材
３６  定着部材
３７  挿通孔
【図１】
2013193357.tif 000003
【図２】
2013193357.tif 000004
【図３】
2013193357.tif 000005
【図４】
2013193357.tif 000006
【図５】
2013193357.tif 000007
【図６】
2013193357.tif 000008
【図７】
2013193357.tif 000009